(57)【要約】【課題】  モニタ装置に表示される映像を観察する際の臨場感を増す。【解決手段】  被写体を撮影したときに被写体を照明していた撮影照明光のスペクトルに関連する情報である撮影照明情報が映像信号に含まれる。特性可変照明装置１３６は、出射する光のスペクトルを調節可能に構成される。窓１５０を通して入射し、モニタ装置１４０の設置される環境を照明する環境照明光と、特性可変照明装置１３６から出射される光とが混ざった観察照明光の分光特性を測定可能な分光測光部１３８から得られる情報と、撮影特性情報分離部１１０から得られる撮影照明情報とに基づき、照明補正量算出部１１２は特性可変照明装置１３６から出射される光のスペクトル特性を制御するための照明補正情報を算出する。特性可変照明装置１３６から出射される光と環境照明光とが混ざり合った観察照明光のスペクトルが撮影照明光のスペクトルと略一致する。【選択図】図１
2009017354.tif 000002
【特許請求の範囲】
【請求項１】
撮影時に被写体を照明していた撮影照明光の分光スペクトルに関連する情報である撮影照明情報と、撮影に使用した撮影装置の特性の情報である入力機器情報と、前記撮影装置により被写体を撮影して得られた被写体映像信号とを入力し、
前記被写体映像信号と前記撮影照明情報と前記入力機器情報とを用いて算出された被写体の分光反射率に、前記撮影照明光の分光スペクトルと略一致した分光スペクトルを有するレンダリング光を適用して色変換の処理を行い、モニタ表示装置に出力するための映像表示信号を生成し、
前記モニタ表示装置を観察する環境を所望の分光スペクトルを有する光で照明可能に構成される特性可変照明装置から出射される光の分光スペクトルを制御する映像表示用処理装置であって、
前記モニタ表示装置を観察する環境を照明する光である観察照明光を計測して前記観察照明光の分光スペクトルに関連する情報である観察照明スペクトル情報を出力可能な分光測光部から前記観察照明スペクトル情報を入力し、
前記撮影照明光の分光スペクトルと前記観察照明光の分光スペクトルとが略一致するように、前記特性可変照明装置から出射される光の分光スペクトルを変化させるように構成されることを特徴とする映像表示用処理装置。
【請求項２】
撮影時に被写体を照明していた撮影照明光の分光スペクトルに関連する情報である撮影照明情報と、撮影に使用した撮影装置の特性の情報である入力機器情報と、前記撮影装置により被写体を撮影して得られた被写体映像信号とを入力し、
前記被写体映像信号と前記撮影照明情報と前記入力機器情報とを用いて算出された被写体の分光反射率にレンダリング光を適用して色変換の処理を行い、モニタ表示装置に出力するための映像表示信号を生成し、
前記モニタ表示装置を観察する環境を所望の分光スペクトルを有する光で照明可能に構成される特性可変照明装置から出射される光の分光スペクトルを制御する映像表示用処理装置であって、
前記モニタ表示装置を観察する環境を照明する光である観察照明光を計測して前記観察照明光の分光スペクトルに関連する情報である観察照明スペクトル情報を出力可能な分光測光部から前記観察照明スペクトル情報を入力し、
前記レンダリング光の分光スペクトルを前記撮影照明光の分光スペクトルと略一致するように決定し、
前記レンダリング光の分光スペクトルと前記観察照明光の分光スペクトルとが略一致するように、前記特性可変照明装置から出射される光の分光スペクトルを変化させるように構成されることを特徴とする映像表示用処理装置。
【請求項３】
さらに、前記特性可変照明装置から出射される光の分光スペクトルを変化させて前記レンダリング光の分光スペクトルと前記観察照明光の分光スペクトルとを略一致させることが可能かどうかを判定し、可能でないと判定されたときに、前記レンダリング光の分光スペクトルも変化させて、前記レンダリング光の分光スペクトルと前記観察照明光の分光スペクトルとが略一致するように構成されることを特徴とする請求項２に記載の映像表示用処理装置。
【請求項４】
前記撮影照明光の分光スペクトルと、変化させた後の前記レンダリング光の分光スペクトルとで、それぞれの相対スペクトルが略一致している状態を維持しつつ前記レンダリング光の分光スペクトルを変化させるように構成されることを特徴とする請求項３に記載の映像表示用処理装置。
【請求項５】
変化させた後のレンダリング光の相対スペクトルが、予め設定されている相対スペクトルと略一致するように前記レンダリング光の分光スペクトルを変化させるように構成されることを特徴とする請求項３に記載の映像表示用処理装置。
【請求項６】
撮影装置により被写体を撮影して得られた被写体映像信号を色変換してモニタ表示装置に出力する映像表示用処理装置であって、
撮影時に被写体を照明していた撮影照明光の分光スペクトルに関連する情報である撮影照明情報と、撮影に使用した前記撮影装置の特性の情報である入力機器情報と、前記被写体映像信号とを抽出する撮影特性情報分離部（１１０）と、
前記被写体映像信号と前記撮影照明情報と前記入力機器情報とを用いて算出された被写体の分光反射率に、前記撮影照明光の分光スペクトルに略一致させた分光スペクトルを有するレンダリング光を適用して色変換の処理を行い、前記モニタ表示装置に出力するための映像表示信号を生成する信号処理部（１１８、１２０）と、
前記モニタ表示装置を観察する環境を照明する観察照明光の分光スペクトルを測定する分光測光部から入力した、前記観察照明光の分光スペクトルに関連する情報である観察照明スペクトル情報と、前記撮影特性情報分離部から入力した前記撮影照明情報との差分に基づいて照明補正情報を算出する照明補正量算出部（１１２）と、
前記モニタ表示装置を観察する環境を所望の分光スペクトルを有する光で照明可能に構成される特性可変照明装置から出射される光の分光スペクトルを、前記照明補正情報に基づいて変化させ、前記撮影照明光の分光スペクトルと前記観察照明光の分光スペクトルとを略一致させる制御を行う照明制御部（１３０）と、
を備えることを特徴とする映像表示用処理装置。
【請求項７】
撮影装置により被写体を撮影して得られた被写体映像信号を色変換してモニタ表示装置に出力する映像表示用処理装置であって、
撮影時に被写体を照明していた撮影照明光の分光スペクトルに関連する情報である撮影照明情報と、撮影に使用した前記撮影装置の特性の情報である入力機器情報と、前記被写体映像信号とを抽出する撮影特性情報分離部（１１０）と、
前記被写体映像信号と前記撮影照明情報と前記入力機器情報とを用いて算出された被写体の分光反射率にレンダリング光を適用して色変換の処理を行い、前記モニタ表示装置に出力するための映像信号を生成する信号処理部（１１８、１２０）と、
前記モニタ表示装置を観察する環境を照明する観察照明光の分光スペクトルを測定する分光測光部から入力した、前記観察照明光の分光スペクトルに関連する情報である観察照明スペクトル情報と、前記撮影特性情報分離部から入力した前記撮影照明情報との差分に基づいて照明補正情報を算出するとともに、前記差分に基づいて前記レンダリング光の分光スペクトルを制御するためのレンダリング照明情報を決定する照明補正量算出部（１１２Ａ）と、
前記照明補正情報に基づいて、前記モニタ表示装置を観察する環境を所望の分光スペクトルを有する光で照明可能に構成される特性可変照明装置から出射される光の分光スペクトルを変化させ、前記レンダリング光の分光スペクトルと前記観察照明光の分光スペクトルとを略一致させる制御を行う照明制御部（１３０）と、
を備えることを特徴とする映像表示用処理装置。
【請求項８】
モニタ表示装置と、
撮影装置により被写体を撮影して得られた被写体映像信号を色変換して前記モニタ表示装置に出力する映像表示用処理装置と、
前記モニタ表示装置を観察する環境を照明する観察照明光の分光スペクトルを測定する分光測光部と、
前記モニタ表示装置を観察する環境を所望の分光スペクトルを有する光で照明可能に構成される特性可変照明装置と
を有する映像表示システムであって、
前記映像表示用処理装置は、
撮影時に被写体を照明していた撮影照明光の分光スペクトルに関連する情報である撮影照明情報と、撮影に使用した前記撮影装置の特性の情報である入力機器情報と、前記被写体映像信号とを抽出する撮影特性情報分離部（１１０）と、
前記被写体映像信号と前記撮影照明情報と前記入力機器情報とを用いて算出された被写体の分光反射率に、前記撮影照明光の分光スペクトルに略一致させた分光スペクトルを有するレンダリング光を適用して色変換の処理を行い、前記モニタ表示装置に出力するための映像表示信号を生成する信号処理部（１１８、１２０）と、
前記分光測光部から入力した、前記観察照明光の分光スペクトルに関連する情報である観察照明スペクトル情報と、前記撮影特性情報分離部から入力した前記撮影照明情報との差分に基づいて照明補正情報を算出する照明補正量算出部（１１２）と、
前記特性可変照明装置から出射される光の分光スペクトルを前記照明補正情報に基づいて変化させ、前記撮影照明光の分光スペクトルと前記観察照明光の分光スペクトルとを略一致させる制御を行う照明制御部（１３０）と
を有することを特徴とする、映像表示システム。
【請求項９】
モニタ表示装置と、
撮影装置により被写体を撮影して得られた被写体映像信号を色変換して前記モニタ表示装置に出力する映像表示用処理装置と、
前記モニタ表示装置を観察する環境を照明する観察照明光の分光スペクトルを測定する分光測光部と、
前記モニタ表示装置を観察する環境を所望の分光スペクトルを有する光で照明可能に構成される特性可変照明装置と
を有する映像表示システムであって、
前記映像表示用処理装置は、
撮影時に被写体を照明していた撮影照明光の分光スペクトルに関連する情報である撮影照明情報と、撮影に使用した前記撮影装置の特性の情報である入力機器情報と、前記被写体映像信号とを抽出する撮影特性情報分離部（１１０）と、
前記被写体映像信号と前記撮影照明情報と前記入力機器情報とを用いて算出された被写体の分光反射率にレンダリング光を適用して色変換の処理を行い、前記モニタ表示装置に出力するための映像表示信号を生成する信号処理部（１１８、１２０）と、
前記分光測光部から入力した、前記観察照明光の分光スペクトルに関連する情報である観察照明スペクトル情報と、前記撮影特性情報分離部から入力した前記撮影照明情報との差分に基づいて照明補正情報を算出するとともに、前記差分に基づいて前記レンダリング光の分光スペクトルを制御するためのレンダリング照明情報を決定する照明補正量算出部（１１２Ａ）と、
前記照明補正情報に基づいて、前記特性可変照明装置から出射される光の分光スペクトルを変化させ、前記レンダリング光の分光スペクトルと前記観察照明光の分光スペクトルとを略一致させる制御を行う照明制御部（１３０）と、
を有することを特徴とする、映像表示システム。
【請求項１０】
前記映像表示用処理装置がさらに、前記特性可変照明装置から出射される光の分光スペクトルを変化させて前記レンダリング光の分光スペクトルと前記観察照明光の分光スペクトルとを略一致させることが可能かどうかを判定し、可能でないと判定されたときに、前記レンダリング光の分光スペクトルも変化させるように構成されることを特徴とする請求項５に記載の映像表示システム。
【請求項１１】
撮影時に被写体を照明していた撮影照明光の分光スペクトルに関連する情報である撮影照明情報と、撮影に使用した撮影装置の特性情報である入力機器情報と、前記撮影装置により被写体を撮影して得られた被写体映像信号とを入力する過程と、
前記被写体映像信号と前記撮影照明情報と前記入力機器情報とを用いて算出された被写体の分光反射率に、前記撮影照明光の分光スペクトルと略一致した分光スペクトルを有するレンダリング光を適用して色変換の処理を行い、モニタ表示装置に出力するための映像表示信号を生成する過程と、
前記モニタ表示装置を観察する環境を照明する光である観察照明光を計測して前記観察照明光の分光スペクトルに関連する情報である観察照明スペクトル情報を得る過程と、
前記モニタ表示装置を観察する環境を所望の分光スペクトルを有する光で照明可能に構成される特性可変照明装置から出射される光の分光スペクトルを変化させて、前記撮影照明光の分光スペクトルと前記観察照明光の分光スペクトルとが略一致するようにする過程と
を有することを特徴とする映像表示処理方法。
【請求項１２】
撮影時に被写体を照明していた撮影照明光の分光スペクトルに関連する情報である撮影照明情報と、撮影に使用した撮影装置の特性情報である入力機器情報と、前記撮影装置により被写体を撮影して得られた被写体映像信号とを入力する過程と、
前記被写体映像信号と前記撮影照明情報と前記入力機器情報とを用いて算出された被写体の分光反射率にレンダリング光を適用して色変換の処理を行い、モニタ表示装置に出力するための映像表示信号を生成する過程と、
前記モニタ表示装置を観察する環境を照明する光である観察照明光を計測して前記観察照明光の分光スペクトルに関連する情報である観察照明スペクトル情報を得る過程と、
前記観察照明スペクトル情報と、前記撮影照明情報との差分に基づいて照明補正情報を算出するとともに、前記差分に基づいて前記レンダリング光の分光スペクトルを制御するためのレンダリング照明情報を決定する過程と、
前記モニタ表示装置を観察する環境を所望の分光スペクトルを有する光で照明可能に構成される特性可変照明装置から出射される光の分光スペクトルを変化させて前記レンダリング光の分光スペクトルと前記観察照明光の分光スペクトルとが略一致するようにする過程と
を有することを特徴とする映像表示処理方法。
【請求項１３】
さらに、前記特性可変照明装置から出射される光の分光スペクトルを変化させて前記レンダリング光の分光スペクトルと前記観察照明光の分光スペクトルとを略一致させることが可能かどうかを判定する過程と、
可能でないと判定されたときに、前記レンダリング光の分光スペクトルも変化させる過程と
をさらに有することを特徴とする請求項１２に記載の映像表示処理方法。
【発明の詳細な説明】
【技術分野】
【０００１】
本発明は、カラーモニタ装置を用いて映像を表示する映像表示システムに関する。
【背景技術】
【０００２】
従来の３原色にとらわれない多元色の映像表現を用い、より忠実で自然な色再現を可能とするための一方法として、以下に説明するものが知られている。以下の方法では、マルチスペクトルカメラと称される多原色、例えば１６原色での撮影が可能なカメラを用いて被写体を撮影し、得られた映像データ、撮影に用いられたカメラの特性、撮影時に被写体を照明していた照明光の分光特性などから被写体の分光反射率スペクトルで表現される映像信号、すなわち分光反射率映像信号を得る。そして、被写体の映像を表示するモニタ装置を観察する環境の照明光の分光特性をもとに、仮に被写体がその環境に置かれたときにどのような色合いに見えるかを算出（シミュレート）して表示する。分光反射率映像信号に、ある特定の分光特性を有する照明をあてたときに被写体がどのような色合いに見えるかをシミュレートする際に適用する照明をレンダリング照明と称する。
【０００３】
被写体の映像を表示するモニタ装置を観察する環境、例えば部屋は、その部屋に設置される照明装置や、窓などを通して入ってくる外部からの光などによって照明される。以下では、被写体の映像を表示するモニタ装置（に映し出される映像）を観察する環境を観察環境、観察環境に設置される照明装置を環境照明装置、そして環境照明装置からの光と、窓などを通して入ってくる外部からの光等を合わせたものを環境照明光と称する。
【０００４】
上記の方法においては、環境照明光の分光スペクトルを計測し、その環境照明光の分光スペクトルに対応するようにレンダリング照明の処理を行う。このような方法を用いることにより、環境照明光とは分光スペクトルの異なる照明のもとで撮影された被写体の映像を、被写体があたかも観察環境に置かれているかのようにして表示することができ、観察者はより自然な映像を観察することが可能となる。例えば、タングステン光で照明される被写体の映像を、環境照明光が蛍光灯から出射される光である観察環境のもとで観察した際に、被写体があたかも蛍光灯で照明されたかのような色合いでモニタ装置に表示することができる。
【０００５】
上述した技術は、いわば被写体の見えを観察環境に合わせるようにして表示するものである。すなわち、レンダリング照明光の分光スペクトルを環境照明光の分光スペクトルに合わせるように、表示する映像の色を変換するものである。これとは逆に、色味を変えることが可能な照明装置である再現用照明装置を観察環境に設置し、被写体の撮影時に被写体を照明していた光（以下、これを撮影照明光と称する）の色味に再現用照明装置の色味を合わせることにより、例えば映画などを観察する際の臨場感を増す方法が特許文献１に提案されている。特許文献１に開示されるものにおいては、撮影照明光の色度値（ｘ、ｙ、ｚ）が計測及び記録されて、その色度値に基づいて再現用照明装置の色味が制御される。
【特許文献１】特開２００５−３４１１２２号公報
【発明の開示】
【発明が解決しようとする課題】
【０００６】
上記特許文献１の構成においては、レンダリング照明光のカラーバランスが撮影照明光のカラーバランスと略一致するように表示がなされる。例えば、タングステン光の照明下で撮影された被写体の映像は、タングステン光で照らされた状態の色味で表示される。そして、撮影照明光の色味と、再現用照明装置から発せられる光の色味とが一致するように再現用照明装置から発せられる光の色味が制御される。
【０００７】
しかしながら、窓などを通して部屋に入ってくる外光、あるいは、再現用照明装置以外の他の光源からの光の影響については特許文献１で言及されていない。これらの光は、その色味を制御することができないものである。また、これらの光が存在する観察環境下において、別の照明がさらに点灯されたり、陽が傾いて窓から入る外光が赤みを増したりしたときには、観察環境を照らす光全体としての色味が変化する。したがって、環境照明光中に外光または他の光源からの光が存在する観察環境下において、特許文献１のように、撮影照明光に合わせて再現用照明装置の色味を制御しただけでは、観察環境を照らす環境照明光全体としての色味を撮影照明光の色味に合わせることが困難な場合が生じる。そのような場合、臨場感のある映像を表示することが困難な場合が生じる。
【０００８】
本発明は、上述した課題を解決するための手段を提供することを目的としており、外光または再現用照明装置以外の他の光源からの光を含む環境照明光が存在する観察環境下においても臨場感を損なうことのない映像の表示を可能とする技術を提供することを目的とする。
【課題を解決するための手段】
【０００９】
（１）  本発明の第１の態様は、映像表示用処理装置に適用され、この映像表示用処理装置は、撮影時に被写体を照明していた撮影照明光の分光スペクトルに関連する情報である撮影照明情報と、撮影に使用した撮影装置の特性の情報である入力機器情報と、前記撮影装置により被写体を撮影して得られた被写体映像信号とを入力し、
前記被写体映像信号と前記撮影照明情報と前記入力機器情報とを用いて算出された被写体の分光反射率に、前記撮影照明光の分光スペクトルと略一致した分光スペクトルを有するレンダリング光を適用して色変換の処理を行い、モニタ表示装置に出力するための映像表示信号を生成し、
前記モニタ表示装置を観察する環境を所望の分光スペクトルを有する光で照明可能に構成される特性可変照明装置から出射される光の分光スペクトルを制御し、
前記モニタ表示装置を観察する環境を照明する光である観察照明光を計測して前記観察照明光の分光スペクトルに関連する情報である観察照明スペクトル情報を出力可能な分光測光部から前記観察照明スペクトル情報を入力し、
前記撮影照明光の分光スペクトルと前記観察照明光の分光スペクトルとが略一致するように、前記特性可変照明装置から出射される光の分光スペクトルを変化させるように構成されることにより上述した課題を解決する。
（２）  本発明の第２の態様は、映像表示用処理装置に適用され、この映像表示用処理装置は、撮影時に被写体を照明していた撮影照明光の分光スペクトルに関連する情報である撮影照明情報と、撮影に使用した撮影装置の特性の情報である入力機器情報と、前記撮影装置により被写体を撮影して得られた被写体映像信号とを入力し、
前記被写体映像信号と前記撮影照明情報と前記入力機器情報とを用いて算出された被写体の分光反射率にレンダリング光を適用して色変換の処理を行い、モニタ表示装置に出力するための映像表示信号を生成し、
前記モニタ表示装置を観察する環境を所望の分光スペクトルを有する光で照明可能に構成される特性可変照明装置から出射される光の分光スペクトルを制御し、
前記モニタ表示装置を観察する環境を照明する光である観察照明光を計測して前記観察照明光の分光スペクトルに関連する情報である観察照明スペクトル情報を出力可能な分光測光部から前記観察照明スペクトル情報を入力し、
前記レンダリング光の分光スペクトルを前記撮影照明光の分光スペクトルと略一致するように決定し、
前記レンダリング光の分光スペクトルと前記観察照明光の分光スペクトルとが略一致するように、前記特性可変照明装置から出射される光の分光スペクトルを変化させるように構成されるものである。
（３）  本発明の第３の態様は、撮影装置により被写体を撮影して得られた被写体映像信号を色変換してモニタ表示装置に出力する映像表示用処理装置に適用され、この映像表示用処理装置が、
撮影時に被写体を照明していた撮影照明光の分光スペクトルに関連する情報である撮影照明情報と、撮影に使用した前記撮影装置の特性の情報である入力機器情報と、前記被写体映像信号とを抽出する撮影特性情報分離部（１１０）と、
前記被写体映像信号と前記撮影照明情報と前記入力機器情報とを用いて算出された被写体の分光反射率に、前記撮影照明光の分光スペクトルに略一致させた分光スペクトルを有するレンダリング光を適用して色変換の処理を行い、前記モニタ表示装置に出力するための映像表示信号を生成する信号処理部（１１８、１２０）と、
前記モニタ表示装置を観察する環境を照明する観察照明光の分光スペクトルを測定する分光測光部から入力した、前記観察照明光の分光スペクトルに関連する情報である観察照明スペクトル情報と、前記撮影特性情報分離部から入力した前記撮影照明情報との差分に基づいて照明補正情報を算出する照明補正量算出部（１１２）と、
前記モニタ表示装置を観察する環境を所望の分光スペクトルを有する光で照明可能に構成される特性可変照明装置から出射される光の分光スペクトルを、前記照明補正情報に基づいて変化させ、前記撮影照明光の分光スペクトルと前記観察照明光の分光スペクトルとを略一致させる制御を行う照明制御部（１３０）と、
を備えるものである。
（４）  本発明の第４の態様は、撮影装置により被写体を撮影して得られた被写体映像信号を色変換してモニタ表示装置に出力する映像表示用処理装置に適用され、この映像表示用処理装置が、
撮影時に被写体を照明していた撮影照明光の分光スペクトルに関連する情報である撮影照明情報と、撮影に使用した前記撮影装置の特性の情報である入力機器情報と、前記被写体映像信号とを抽出する撮影特性情報分離部（１１０）と、
前記被写体映像信号と前記撮影照明情報と前記入力機器情報とを用いて算出された被写体の分光反射率にレンダリング光を適用して色変換の処理を行い、前記モニタ表示装置に出力するための映像信号を生成する信号処理部（１１８、１２０）と、
前記モニタ表示装置を観察する環境を照明する観察照明光の分光スペクトルを測定する分光測光部から入力した、前記観察照明光の分光スペクトルに関連する情報である観察照明スペクトル情報と、前記撮影特性情報分離部から入力した前記撮影照明情報との差分に基づいて照明補正情報を算出するとともに、前記差分に基づいて前記レンダリング光の分光スペクトルを制御するためのレンダリング照明情報を決定する照明補正量算出部（１１２Ａ）と、
前記照明補正情報に基づいて、前記モニタ表示装置を観察する環境を所望の分光スペクトルを有する光で照明可能に構成される特性可変照明装置から出射される光の分光スペクトルを変化させ、前記レンダリング光の分光スペクトルと前記観察照明光の分光スペクトルとを略一致させる制御を行う照明制御部（１３０）と、
を備えるものである。
（５）  本発明の第５の態様は、映像表示システムに適用され、この映像表示システムは、モニタ表示装置と、
撮影装置により被写体を撮影して得られた被写体映像信号を色変換して前記モニタ表示装置に出力する映像表示用処理装置と、
前記モニタ表示装置を観察する環境を照明する観察照明光の分光スペクトルを測定する分光測光部と、
前記モニタ表示装置を観察する環境を所望の分光スペクトルを有する光で照明可能に構成される特性可変照明装置と
を有し、
前記映像表示用処理装置は、
撮影時に被写体を照明していた撮影照明光の分光スペクトルに関連する情報である撮影照明情報と、撮影に使用した前記撮影装置の特性の情報である入力機器情報と、前記被写体映像信号とを抽出する撮影特性情報分離部（１１０）と、
前記被写体映像信号と前記撮影照明情報と前記入力機器情報とを用いて算出された被写体の分光反射率に、前記撮影照明光の分光スペクトルに略一致させた分光スペクトルを有するレンダリング光を適用して色変換の処理を行い、前記モニタ表示装置に出力するための映像表示信号を生成する信号処理部（１１８、１２０）と、
前記分光測光部から入力した、前記観察照明光の分光スペクトルに関連する情報である観察照明スペクトル情報と、前記撮影特性情報分離部から入力した前記撮影照明情報との差分に基づいて照明補正情報を算出する照明補正量算出部（１１２）と、
前記特性可変照明装置から出射される光の分光スペクトルを前記照明補正情報に基づいて変化させ、前記撮影照明光の分光スペクトルと前記観察照明光の分光スペクトルとを略一致させる制御を行う照明制御部（１３０）と
を有するものである。
（６）  本発明の第６の態様は、映像表示システムに適用され、この映像表示システムが、モニタ表示装置と、
撮影装置により被写体を撮影して得られた被写体映像信号を色変換して前記モニタ表示装置に出力する映像表示用処理装置と、
前記モニタ表示装置を観察する環境を照明する観察照明光の分光スペクトルを測定する分光測光部と、
前記モニタ表示装置を観察する環境を所望の分光スペクトルを有する光で照明可能に構成される特性可変照明装置と
を有し、
前記映像表示用処理装置は、
撮影時に被写体を照明していた撮影照明光の分光スペクトルに関連する情報である撮影照明情報と、撮影に使用した前記撮影装置の特性の情報である入力機器情報と、前記被写体映像信号とを抽出する撮影特性情報分離部（１１０）と、
前記被写体映像信号と前記撮影照明情報と前記入力機器情報とを用いて算出された被写体の分光反射率にレンダリング光を適用して色変換の処理を行い、前記モニタ表示装置に出力するための映像表示信号を生成する信号処理部（１１８、１２０）と、
前記分光測光部から入力した、前記観察照明光の分光スペクトルに関連する情報である観察照明スペクトル情報と、前記撮影特性情報分離部から入力した前記撮影照明情報との差分に基づいて照明補正情報を算出するとともに、前記差分に基づいて前記レンダリング光の分光スペクトルを制御するためのレンダリング照明情報を決定する照明補正量算出部（１１２Ａ）と、
前記照明補正情報に基づいて、前記特性可変照明装置から出射される光の分光スペクトルを変化させ、前記レンダリング光の分光スペクトルと前記観察照明光の分光スペクトルとを略一致させる制御を行う照明制御部（１３０）と、
を有するものである。
（７）  本発明の第７の態様は、映像表示処理方法に適用され、この映像表示処理方法が、
撮影時に被写体を照明していた撮影照明光の分光スペクトルに関連する情報である撮影照明情報と、撮影に使用した撮影装置の特性情報である入力機器情報と、前記撮影装置により被写体を撮影して得られた被写体映像信号とを入力する過程と、
前記被写体映像信号と前記撮影照明情報と前記入力機器情報とを用いて算出された被写体の分光反射率に、前記撮影照明光の分光スペクトルと略一致した分光スペクトルを有するレンダリング光を適用して色変換の処理を行い、モニタ表示装置に出力するための映像表示信号を生成する過程と、
前記モニタ表示装置を観察する環境を照明する光である観察照明光を計測して前記観察照明光の分光スペクトルに関連する情報である観察照明スペクトル情報を得る過程と、
前記モニタ表示装置を観察する環境を所望の分光スペクトルを有する光で照明可能に構成される特性可変照明装置から出射される光の分光スペクトルを変化させて、前記撮影照明光の分光スペクトルと前記観察照明光の分光スペクトルとが略一致するようにする過程と
を有するものである。
（８）  本発明の第８の態様は、映像表示処理方法に適用され、この映像表示処理方法が、
撮影時に被写体を照明していた撮影照明光の分光スペクトルに関連する情報である撮影照明情報と、撮影に使用した撮影装置の特性情報である入力機器情報と、前記撮影装置により被写体を撮影して得られた被写体映像信号とを入力する過程と、
前記被写体映像信号と前記撮影照明情報と前記入力機器情報とを用いて算出された被写体の分光反射率にレンダリング光を適用して色変換の処理を行い、モニタ表示装置に出力するための映像表示信号を生成する過程と、
前記モニタ表示装置を観察する環境を照明する光である観察照明光を計測して前記観察照明光の分光スペクトルに関連する情報である観察照明スペクトル情報を得る過程と、
前記観察照明スペクトル情報と、前記撮影照明情報との差分に基づいて照明補正情報を算出するとともに、前記差分に基づいて前記レンダリング光の分光スペクトルを制御するためのレンダリング照明情報を決定する過程と、
前記モニタ表示装置を観察する環境を所望の分光スペクトルを有する光で照明可能に構成される特性可変照明装置から出射される光の分光スペクトルを変化させて前記レンダリング光の分光スペクトルと前記観察照明光の分光スペクトルとが略一致するようにする過程と
を有するものである。
【発明の効果】
【００１０】
本発明によれば、モニタ装置（に表示される映像）を観察する環境に窓などを介して入射する外光や分光特性を制御することのできない照明装置からの光である環境照明光と、出射される光の分光スペクトルを制御可能な特性可変照明装置からの光とが混合された光である観察照明光を計測して得られる観察照明光の分光スペクトルに基づいて特性可変照明装置の分光スペクトルを制御することにより、撮影時に被写体を照明していた撮影照明光の分光スペクトルと観察照明光の分光スペクトルとを略一致させることができる。その結果、環境照明光が存在する観察環境下においても、モニタ装置に表示される映像を観察する際の臨場感を増すことが可能となる。
【発明を実施するための最良の形態】
【００１１】
−  第１の実施の形態  −
図１は、本発明の第１の実施の形態に係る映像表示システムの概略的構成を示すブロック図である。映像表示システム１００は、セットトップボックス（以下、「ＳＴＢ」と称する）１０２と、特性可変照明装置１３６と、分光測光部１３８と、モニタ装置１４０とを含む。映像表示システム１００は、一例として家屋内の部屋に設置される。部屋にはシーリングライト等の照明装置や窓などがあって、照明装置からは光が出射され、窓からは太陽光などが入射する。本実施の形態においては、映像表示システム１００の設置される部屋などが上述の「観察環境」に対応する。また、その部屋に元々設置されている、あるいは映像表示システム１００に含まれない照明装置が、上述の「環境照明装置」に対応し、図１では符号１５２が付されている。そして、部屋の窓１５０などを通して入ってくる光と、環境照明装置１５２から出射される光とが、上述の「環境照明光」に対応する。
【００１２】
特性可変照明装置１３６は後で詳しく説明するＳＴＢ１０２内の照明制御部１３０によって制御されて、以下に説明するように特性可変照明装置１３６から出射される光の輝度及び分光特性を変更可能に構成されている。特性可変照明装置１３６の構成例を説明すると、光源としては従来からある一般的な照明用光源として用いられるタングステン球、蛍光灯、発光ダイオード（ＬＥＤ）、ハロゲンランプ、キセノンランプ等を用いることができる。そして、特性可変照明装置１３６中には３つ以上、望ましくは６つ以上の、互いに独立して発光輝度を変化させることが可能な光源が内蔵されており、それぞれの光源には分光透過特性の互いに異なるカラーフィルタが装着されている。例えば光源を３つ有するものである場合、第１の光源には赤のカラーフィルタが、第２の光源には緑のカラーフィルタが、そして第３の光源には青のカラーフィルタが装着される。そして、第１、第２、及び第３の光源から出射される光の輝度を独立して制御することにより、特性可変照明装置１３６から出射される光の特性、すなわち輝度と分光特性とを制御することが可能に構成されている。なお、カラーフィルタとしては、光源の発光部、例えば管球の表面にカラーフィルタの作用を有する層が直接形成されていてもよい。
【００１３】
光源としてＬＥＤを用いる場合には、カラーフィルタを用いず、第１の光源として赤色ＬＥＤを、第２の光源として緑色ＬＥＤを、第３の光源として青色のＬＥＤを、…、というように、互いに異なる分光発光特性を有するＬＥＤを複数用いて、それらのＬＥＤの発光輝度を互いに独立して調節することによっても特性可変照明装置１３６から出射される光の特性を制御することが可能である。
【００１４】
さらにまた、特性可変照明装置１３６として、液晶表示装置と似た構成のものを使用することも可能である。この場合、光源としては比較的広い発光波長帯域と比較的均一な分光波長特性を有するものを液晶表示装置の光源として用い、透過形液晶を構成する各色の画素の透過率を互いに独立して制御することにより、特性可変照明装置１３６から出射される光の特性を制御することが可能となる。
【００１５】
以下では、特性可変照明装置１３６が、互いに独立して発光輝度を変化させることが可能で、分光透過特性の互いに異なるフィルタが装着されていて、λ1、λ2、…、λ6の中心発光波長を有する光を出射可能な６つの光源を有するものとして説明をするが、本発明をこれに限定することを意図するものではない。
【００１６】
分光測光部１３８は、モニタ装置１４０を観察する環境を照明する光のスペクトルを測定可能に構成される。また、分光測光部１３８は、特性可変照明装置１３６からの光と環境照明光とを入射可能な位置、例えばモニタ装置１４０の上部や、モニタ装置１４０に表示される映像を観察する観察者が座る位置の付近に設置される。以下ではモニタ装置１４０を観察する環境を照明する光を観察照明光と称する。すなわち、観察照明光は、環境照明光と、特性可変照明装置１３６からの光とを含む。分光測光部１３８は、例えば乳白色の半透明な半球体１３９と、その半球体１３９の内部に設置される受光センサとを有し、半球体１３９に入射する観察照明光のスペクトルを測定可能に構成される。
【００１７】
観察照明光のスペクトルを測定可能とするための構成としては、複数の光センサの受光部に分光透過特性の互いに異なるフィルタが設けられたもの、あるいは、一つの光センサの受光部にターレット式のフィルタが取り付けられて、互いに異なる分光特性を有するフィルタが順次切り替えられるものとすることができる。そして、各光センサから出力される信号あるいは一つのセンサから時系列的に出力される信号の大きさを計測することにより、半球体１３９に入射する観察照明光の分光特性を計測することができる。あるいは、半球体１３９に入射した観察照明光が平行光となるようにコリメートしてグレーティングに導き、グレーティングで回折・分光された光をラインセンサで受けて、ラインセンサに入射する光の分布（位置及び強度）から、観察照明光の分光スペクトルを計測可能に構成することもできる。
【００１８】
また、分光測光部１３８としては、機能的には若干劣るものの、ホワイトバランスセンサや色彩計で構成することもできる。分光測光部１３８をホワイトバランスセンサで構成する場合、半球体１３９の内部には赤、緑、青各色用のセンサが内蔵され、それぞれのセンサから出力される信号の大きさの比から半球体１３９に入射する観察照明光のカラーバランス（色温度）を計測し、その計測結果から半球体１３９に入射する光のスペクトルを推定することが可能である。分光測光部１３８を色彩計で構成する場合には、標準的な人間の眼と同じ分光感度、すなわち、
【数１】
2009017354.tif 000003
を有するか、またはこれと線形変換の関係にある各センサが半球体１３９の内部に内蔵され、これらのセンサから得られる三刺激値Ｘ、Ｙ、Ｚから半球体１３９に入射する観察照明光のスペクトルを推定することが可能である。分光測光部１３８は、上述のようにして得られた測定結果に関連する情報である観察照明スペクトル情報をＳＴＢ１０２内の照明補正量算出部１１２に出力する。以下では、分光測光部１３８が３８０ｎｍから７８０ｎｍまでの可視光波長帯域中の６つの波長λ1、λ2、…、λ6における分光スペクトルを測定可能なものとして説明するが、上述のように分光測光部１３８としては様々な態様のものを使用可能である。
【００１９】
ＳＴＢ１０２の内部構成について説明する。図１において、各構成要素間で受け渡しされる情報や信号には、その情報名や信号名に（  ）を付してある。撮影特性情報分離部１１０は、ＳＴＢ１０２に入力される映像信号中から撮影照明情報、入力機器情報、及びＭバンド画像データを抽出する。ここで、Ｍは４以上の整数である。上記の撮影照明情報および入力機器情報について説明する。撮影照明情報は、被写体を撮影していたときに被写体を照明していた照明光である撮影照明光の分光強度分布に関連する情報である。なお、ＳＴＢ１０２に入力される映像信号がＣＧ（コンピュータグラフィクス）等によって生成された映像信号である場合には、ＣＧ映像を制作した制作者の制作意図に従って撮影照明情報が設定され、映像信号とともにＳＴＢ１０２に入力される。入力機器情報は、撮影に使用した撮影装置が有する撮影レンズの分光透過特性、撮像素子の分光感度、撮像素子から出力される信号を処理して映像信号を生成する回路の特性等によって決まる、撮影装置全体としての分光感度特性やガンマ特性に関連する情報である。撮影特性情報分離部１１０は、照明補正量算出部１１２に撮影照明情報を、色変換データ演算部１１４に撮影照明情報及び入力機器情報を、色変換処理部１１８にＭバンド画像データを、それぞれ出力する。
【００２０】
色変換データ演算部１１４は、撮影特性情報分離部１１０から入力した入力機器情報及び撮影照明情報から、画像データの色変換処理に際して用いる演算パラメータ（以降、これを「演算パラメータ１」と称する）を求め、求めた演算パラメータ１を色変換処理部１１８に出力する。
【００２１】
色変換処理部１１８は、撮影特性情報分離部１１０から入力するＭバンド画像データに対して、色変換データ演算部１１４から入力した演算パラメータ１に基づいて色変換の処理をしてＸ、Ｙ、Ｚ表色系の３バンド映像信号、すなわち測色値映像信号を生成する。この処理の詳細については後で図２を参照して説明する。なお、以下では色変換処理部１１８がＸ、Ｙ、Ｚの測色値映像信号を生成する例のみについて説明するが、色変換処理部１１８によってＭバンドの画像データが変換されて生成される信号としてはｓＲＧＢやｘｖＹＣＣの表色系等を用いるものであってもよい。
【００２２】
モニタ色変換データ演算部１１６は、モニタ装置１４０から入力したモニタ特性情報から、モニタ色変換処理部１２０で測色値映像信号に色変換の処理を施す（後述）際に用いる演算パラメータ（以降、これを「演算パラメータ２」と称する）を求め、求めた演算パラメータ２をモニタ色変換処理部１２０に出力する。モニタ特性情報は、モニタで表示される原色それぞれの色度点、表示の階調特性、バイアス値（入力信号がゼロのときの表示面輝度）等に関連する情報である。
【００２３】
モニタ色変換処理部１２０は、色変換処理部１１８から入力するＸ、Ｙ、Ｚの測色値映像信号をＮ原色の映像表示信号に分解（変換）するとともに、このＮ原色の映像表示信号に対してモニタ装置１４０のガンマ特性に対応する補正処理を行う。モニタ色変換処理部１２０は、補正された映像表示信号をモニタ装置１４０に出力する。この処理の詳細については後で図２を参照して説明する。
【００２４】
図２は、色変換処理部１１８及びモニタ色変換処理部１２０の詳細を説明するブロック図である。色変換処理部１１８に入力される演算パラメータ１に基づき、ルックアップ・テーブル（ＬＵＴ）１，ＬＵＴ２，…，ＬＵＴ  Ｍ  （以下、これらのＬＵＴを「ＬＵＴ  ３０２」と総称する）と、マトリクス演算部３０４内のＭ×３マトリクスとが生成される。ここで、演算パラメータ１のうち、ＬＵＴ３０２を生成するためのパラメータには、撮影装置のガンマ特性、オフセット等の入力機器情報に対応する情報が含まれ、Ｍ×３のマトリクスを生成するためのパラメータには、撮影照明情報、撮影装置の分光感度、およびレンダリング照明情報のそれぞれに対応する情報が含まれている。レンダリング照明情報とは、レンダリング光の分光スペクトルを指定するための情報である。本実施の形態においては、レンダリング照明情報は、撮影照明光の分光スペクトルに略一致した分光スペクトルを指定するものとなっている。これらのＬＵＴ３０２及びＭ×３マトリクスは、色変換処理部１１８に入力されるＭバンドの画像データを処理する際に用いられる。
【００２５】
ＬＵＴ３０２により、Ｍバンド画像データのそれぞれに対していわゆるトーンカーブの補正がなされて撮影装置のレベル・ガンマ特性の影響が除去される。続いて、マトリクス演算部３０４でＭバンド画像データに対してマトリクス演算がなされ、測色値映像信号Ｘ、Ｙ、Ｚに変換される。ここで、Ｍバンド画像データは、撮影照明光の分光スペクトルの情報および撮影装置の分光感度特性の影響を含んだ画像データであるため、撮影照明情報と入力機器情報とを用いることにより、Ｍバンド画像データから被写体の分光反射率が算出される。撮影照明光としては、例えば撮影装置に設けられた照明光源からの光だけでなく、夕陽、あるいは分光スペクトルの偏った人工光等が挙げられる。このような撮影照明光の環境下で被写体が撮影された場合であっても、マトリクス演算部３０４における演算により、これらの影響、すなわち撮影照明光の分光スペクトルに偏りが生じていることによる影響が除去された、被写体の分光反射率特性が算出される。したがって、このＭバンド画像データと撮影照明情報と入力機器情報から得られる被写体の分光反射率に対して、レンダリング照明情報により指定された分光スペクトルを有するレンダリング照明光を適用することにより、任意の照明条件下における被写体の色合いを作り出すことが可能となる。本発明の実施の形態においては、色変換処理部１１８における処理によって、被写体が撮影照明光で照明された状態、すなわち観察者が仮に撮影現場にいたら見ることができたであろう色合いの映像がモニタ装置１４０に表示されるようにレンダリング照明光が適用されて色変換される。
【００２６】
モニタ色変換処理部１２０に入力される演算パラメータ２に基づき、色分解演算部３１４内のデータテーブルと、ルックアップ・テーブル（ＬＵＴ）１，ＬＵＴ２，…，ＬＵＴ  Ｎ（以下、「ＬＵＴ  ３１２」と称する）とが生成される。これらのデータテーブル及びＬＵＴ３１２は、モニタ色変換処理部１２０に入力される３バンドの映像信号を処理する際に用いられる。
【００２７】
色分解演算部３１４内のデータテーブルは、入力される３バンド（Ｘ、Ｙ、Ｚ）の映像信号を原色１から原色Ｎの映像表示信号に分解するために用いられる。ＬＵＴ３１２は、モニタ１２０のガンマ特性を補正するために用いられる。色分解演算部３１４内の上記データテーブルは、モニタ装置１４０に出力される映像表示信号が３原色のものである場合には３×３のマトリクスとすることができる。モニタ装置１４０に出力される映像表示信号の原色数が４以上の場合には、モニタ色変換処理部１２０に入力される３バンドの映像信号から４色以上の原色の映像表示信号を生成するためのルックアップ・テーブルが色分解演算部３１４内に生成される。
【００２８】
再び図１を参照して説明する。照明補正量算出部１１２は、撮影特性情報分離部１１０から出力される撮影照明情報を入力するとともに分光測光部１３８から観察照明光のスペクトルに関連する情報（以下、この情報を「観察照明スペクトル情報」と称する）を入力する。照明補正量算出部１１２は、入力した観察照明スペクトル情報と撮影照明情報とから、後で図３及び図４を参照して詳しく説明するように、撮影状況下で被写体を照明していた光、すなわち撮影照明光の分光スペクトルと、モニタ装置１４０を観察する環境を照明する光（観察照明光）の分光スペクトルとを略一致させるための照明補正情報を照明制御部１３０内の照明データメモリ１３２に出力する。
【００２９】
照明駆動部１３４は、照明データメモリ１３２中に記憶される照明補正情報に基づき、電流制御、電圧制御、ＰＷＭ制御等、光源の特性に合った適宜の方法を用いて特性可変照明装置内の複数の光源それぞれに供給する電力を独立して制御し、特性可変照明装置１３６から出射される光の輝度及び分光スペクトルを制御する。
【００３０】
図３は、図１に示される照明補正量算出部１１２で照明補正情報を求める際の方法を概念的に示す図である。図３において、破線で示される曲線は分光測光部１３８から得られる観察照明光の分光スペクトルを示している。観察照明光は、先にも説明したとおり、特性可変照明装置１３６から出射される光と環境照明光とが混合された、モニタ装置１４０を観察する環境を照明する光である。図３において、実線で示される曲線は撮影照明情報から求められる撮影照明光の分光スペクトルを示している。本発明に係る映像表示システム１００は、特性可変照明装置１３６から出射される光の特性を調節して、観察照明光の分光スペクトルを撮影照明光の分光スペクトルに略一致するようにする。照明補正量算出部１１２は、撮影照明情報から得られる撮影照明光の分光スペクトルと、分光測光部から得られる観察照明光の分光スペクトルとの差に基づき、特性可変照明装置１３６から出射される光の分光スペクトルを制御するための照明補正情報を求めて照明データメモリ１３２に出力する。図３において、ΔＩ1、ΔＩ2、…、ΔＩ6が上述した照明補正情報に対応する。
【００３１】
図４は、照明補正量算出部１１２で実行される照明補正情報算出処理の手順を概略的に示すフローチャートである。図４に示される処理は、モニタ装置１４０に表示される映像が動画である場合には、例えば１／３０秒、１／６０秒といった比較的短い周期で呼び出されて実行されるものとすることができる。あるいは、もっと長い周期で呼び出されて実行されるものとすることもできる。また、表示される映像のシーンの変わり目や、撮影照明情報が変化したことを検出したのに伴って呼び出され、実行されるものであってもよい。一方、モニタ装置１４０に表示される映像が静止画像である場合には、表示画像が切り替えられたことを検出したのに伴って呼び出され、実行されるものであってもよい。さらに、撮影照明情報に変わり目の情報（撮影照明光が変化したことを示す情報）が含まれていて、この情報に基づいて図４に示される処理が呼び出されてもよい。
【００３２】
照明補正量算出部１１２は、Ｓ４０１において撮影特性情報分離部１１０から撮影照明情報を入力し、続くＳ４０２において分光測光部１３８から観察照明スペクトル情報を入力する。Ｓ４０３において照明補正量算出部１１２は、上述した撮影照明情報（図３の実線で示される曲線に対応）と観察照明スペクトル情報（図３の破線で示される曲線に対応）とから、スペクトルごとの差分（図３におけるΔＩ1、ΔＩ2、…、ΔＩ6に対応）を算出する。
【００３３】
Ｓ４０４において照明補正量算出部１１２は、Ｓ４０３で算出したスペクトルごとの差分と、一つ前に実行された図４の処理に際して照明データメモリ１３２に記録された照明補正情報とから新たな照明補正情報を算出する。この照明補正情報の一例としては、６つの光源それぞれに対して８ビットの制御分解能を有するものとすることができる。その場合、６つの光源それぞれに対応する照明補正情報は、十進数で０から２５５までのいずれかの値とすることができる。例えば、一つ前に実行された図４の処理で照明データメモリ１３２に記録された中心発光波長λ1の光源に対応する照明補正情報が十進数で２０であったとして、今回実行された図４の処理で波長λ1の光源の照明情報を８減ずる、という結果が出れば、照明データメモリ１３２に新たに記録される、波長λ1の光源用の照明補正情報は１２、ということになる。このように照明補正情報を算出することにより、特性可変照明装置１３６から出射される光の強度をクローズドループで制御することが可能となる。また、モニタ装置１４０から出射される光が観察環境、例えば部屋の、壁面や床面、そして天井等に当たって反射され、分光測光部１３８に入射した場合にはそれらの光の影響も補正するように特性可変照明装置１３６が制御されるので、観察照明光の分光スペクトルを、より正確に撮影照明光の分光スペクトルに一致させることが可能となる。
【００３４】
続くＳ４０５で照明補正量算出部１１２は、Ｓ４０４で算出された照明補正情報をもとに、観察照明光の補正が可能かどうかを判定する。この判定が否定された場合、例えば、モニタ装置１４０に表示される映像のシーンが暗かったり、あるいは環境照明光が明るすぎたり、あるいは分光スペクトルが偏ったりしていて、特性可変照明装置１３６中の光源のうち少なくとも一つの輝度を０（不発光）としても観察照明光の補正ができないと判定された場合には、Ｓ４０８に分岐して警告を発し、図４の処理を終える。警告を発する手段としては、ＳＴＢ１０２にスピーカや表示装置等を設け、音や光等を発するようにすることが可能である。あるいは、モニタ装置１４０の表示画面上に警告の表示を行うようにしてもよい。観察者は警告を認識して、環境照明装置１５２を減光ないしは消灯するか、あるいは窓１５０に取り付けられるカーテン（不図示）を閉じることができる。
【００３５】
Ｓ４０５での判定が肯定された場合、すなわち特性可変照明光１３６によって観察照明光の補正が可能であると判定された場合、照明補正量算出部１１２はＳ４０６に進み、照明データメモリ１３２内に記録される照明補正情報を新たな値に更新する。続くＳ４０７で照明補正量算出部１１２は照明制御部１３０に対して照明特性更新指令を出力し、図４の処理を終える。
【００３６】
照明制御部１３０は、照明補正量算出部１１２による上記Ｓ４０６、Ｓ４０７の処理を受け、更新された照明特性情報に基づいて特性可変照明装置１３６を制御して照明特性を変化させる。その後、図４に示す処理が繰り返し実行されて観察照明光の分光スペクトルが撮影光の分光スペクトルに略一致するように特性可変照明装置１３６の照明特性が制御される。
【００３７】
図４を参照しての上記説明において、Ｓ４０５の判定が否定されるケースとして特性可変照明装置１３６中の光源のうち少なくとも一つの輝度を０（不発光）としても観察照明光の補正ができないと判定された場合について説明したが、逆に撮影照明の分光スペクトルに偏りがあったり、強度が大きすぎたりしたために、特性可変照明装置中のある光源の強度をこれ以上増すことができない、ということもあり得る。その場合においても、照明補正量算出部１１２は警告を発する。しかし、そのような状況が多々生じることのないように、特性可変照明装置１３６の明るさ（光束）を十分なものとしておくことが望ましい。
【００３８】
以上に説明した本発明の第１の実施の形態においては、特性可変照明装置１３６による観察照明光の補正が不可能な場合に警告を発する例について説明したが、例えば環境照明装置１５２を制御する制御部をＳＴＢ１０２に設けて、特性可変照明装置１３６による観察照明光の補正が不可能な場合には環境照明装置１５２を自動的に減光ないしは消灯させることを可能に構成してもよい。あるいは、窓１５０に取り付けられるカーテンやブラインド等を自動的に閉めることを可能に構成してもよい。
【００３９】
−  第２の実施の形態  −
図５は、本発明の第２の実施の形態に係る映像表示システムの概略的構成を示すブロック図である。図５に示す映像表示システム１００Ａにおいて、図１に示す映像表示システム１００の構成要素と同様のものについては同じ符号を付してその説明を省略し、図１に示す映像表示システム１００との違いを中心に説明をする。
【００４０】
第１の実施の形態に係る映像表示システム１００が一つの特性可変照明装置１３６及び一つの分光測光部１３８を有していたのに対して、第２の実施の形態に係る映像表示システム１００Ｂは、複数の特性可変照明装置１３６Ａ、１３６Ｂと、複数の分光測光部１３８Ａ、１３８Ｂ、１３８Ｃとを有する。図５においては特性可変照明装置が２つ、分光測光部が３つ設けられる例が示されているが、それぞれの数は図５に示す例に限定されず、また、特性可変照明装置の数と分光測光部の数とは同じでも異なっていてもよい。複数の特性可変照明装置１３６Ａ、１３６Ｂは照明制御部１３０の照明駆動部１３４に接続されて制御され、同じ分光スペクトルの光を出射することも、互いに異なる分光スペクトルの光を出射することも可能に構成されている。これら複数の特性可変照明装置は、フロアスタンドライト、ペンダントライト、ダウンライト等、様々な形態のものとすることが可能である。映像表示システム１００Ａは、複数のスピーカ１４５（図５では一つのスピーカのみが示される）を有しており、サラウンド音場を生成することが可能となっている。
【００４１】
複数の分光測光部１３８Ａ、１３８Ｂ、１３８Ｃは、モニタ装置１４０の上部だけではなく、天井近くやスピーカ１４５の上等、モニタ装置１４０の設置される環境内の様々な場所に取り付けることが可能である。これら複数の分光測光部１３８Ａ、１３８Ｂ、１３８Ｃは、照明補正量算出部１１２Ａに接続されており、照明補正量算出部１１２Ａがこれらの分光測光部１３８Ａ、１３８Ｂ、１３８Ｃから出力される観察照明スペクトル情報をもとに、単純平均、加重平均等の処理をしてモニタ周囲のみならず、モニタ装置１４０に表示される映像を観る観察者をとりまく環境に存在する光の分光スペクトルも求めることが可能である。また、特性可変照明装置を、図５に示されるようにスピーカ１４５の上に設けることも可能である。
【００４２】
特性可変照明装置１３６Ｂ及び分光測光部１３８Ｂを上記のようにスピーカ１４５の上に設置する場合、スピーカケーブルと一緒に信号線や電力供給ケーブルを敷設することが可能となる。あるいは、分光測光部１３８Ｂから出力される観察照明スペクトル情報を音声信号に重畳させてスピーカケーブルを通して伝送することも可能である。さらに、電力線通信（ＰＬＣ）の技術を用い、音声信号や観察照明スペクトル情報は電力線を通して伝達するように構成することも可能である。
【００４３】
第１の実施の形態に係る映像表示システム１００においては、色変換データ演算部１１４は撮影特性情報分離部１１０から入力機器情報及び撮影照明情報を入力する構成となっている。これに対し、第２の実施の形態に係る映像表示システム１００Ａにおいては、撮影特性情報分離部１１０から出力される撮影照明情報は、照明補正量算出部１１２Ａにのみ入力される。撮影特性情報分離部１１０から色変換データ演算部１１４Ａには入力機器情報が入力され、第１の実施の形態に係る映像表示システム１００と異なって撮影照明情報は入力されない。そして色変換データ演算部１１４Ａは、照明補正量算出部１１２Ａから出力されるレンダリング照明情報と撮影特性情報分離部１１０から入力される入力機器情報とから演算パラメータ１を求め、色変換処理部１１８に出力するように構成される。設定入力部１１９及び設定入力部１１９から照明補正量算出部１１２Ａに出力される照明設定情報については後で説明する。
【００４４】
図１に示す映像表示システム１００と図５に示す映像表示システム１００Ａとは、以上に説明した点で構成が異なる。続いて、映像表示システム１００Ａの動作について、映像表示システム１００との違いを中心に説明する。
【００４５】
第１の実施の形態に係る映像表示システム１００においては、図３に示されるように、撮影照明光の分光スペクトルが観察照明光の分光スペクトルをすべての波長で上回っている場合に特性可変照明装置１３６から出射される光の分光スペクトルを変えて、撮影照明光の分光スペクトルとレンダリング照明光の分光スペクトルとが略一致するようにすることを説明した。第２の実施の形態に係る映像表示システム１００Ａでは、特性可変照明装置１３６Ａ、１３６Ｂから出射される光の分光スペクトルを変化させて、撮影照明光の分光スペクトルと観察照明光の分光スペクトルとを略一致させることができる間は第１の実施の形態に係る映像表示システム１００と同様の制御を行う。このとき、照明補正量算出部１１２Ａから色変換データ演算部１１４Ａに出力されるレンダリング照明情報は、撮影照明情報と略一致したものとなっている。
【００４６】
図６は、図５に示される照明補正量算出部１１２Ａで照明補正情報及びレンダリング照明情報を求める際の方法を概念的に示す図である。図６において、破線で示される曲線は分光測光部１３８Ａ、１３８Ｂ、１３８Ｃから得られる観察照明光の分光スペクトルを示している。観察照明光は、第１の実施の形態と同様に、特性可変照明装置１３６Ａ、１３６Ｂから出射される光と環境照明光とが混合された、モニタ装置１４０を観察する環境を照明する光である。図６において、細い実線で示される曲線は撮影照明情報から求められる撮影照明光の分光スペクトルＩ（λ）を示している。照明補正量算出部１１２Ａは、撮影照明情報から得られる撮影照明光の分光スペクトルと、分光測光部１３８Ａ、１３８Ｂ、１３８Ｃから得られる観察照明光の分光スペクトルとの差に基づき、特性可変照明装置１３６から出射される光の分光スペクトルを制御するための照明補正情報を求めて照明データメモリ１３２に出力する。
【００４７】
図６に示す状況においては、環境照明光の分光スペクトルが撮影照明光の分光スペクトルを上回る部分（波長λ2付近）がある。これは第１の実施の形態における映像表示システム１００では、警告を発する状況である。第２の実施の形態に係る映像表示システム１００Ａでは、照明補正量算出部１１２Ａは、図６に示されるような状況において、撮影照明光の分光スペクトルＩ（λ）にあるゲインＧ（ｄＢ）を掛けたものを補正後のレンダリング照明情報Ｇ×Ｉ（λ）とする（この、補正後のレンダリング照明情報が図６において太い実線で示される）。その結果、補正後のレンダリング照明情報Ｇ×Ｉ（λ）が観察照明光の分光スペクトルを下回ることのないようにする。補正後のレンダリング照明情報が照明補正量算出部１１２Ａから色変換データ演算部１１４に出力される。そして、色変換データ演算部１１４は、撮影特性情報分離部１１０から出力される入力機器情報と、補正後のレンダリング照明情報とをもとに演算パラメータ１を算出し、色変換処理部１１８に出力する。
【００４８】
照明補正量算出部１１２Ａによる上述した処理により、図６に示されるような、観察照明光の分光スペクトルが撮影照明光の分光スペクトルを少なくとも一部の波長帯域において上回るような状況においては、モニタ表示装置１４０に表示される映像の輝度を増す。このとき、撮影照明光の分光スペクトルＩ（λ）に対してすべての波長帯域で同じゲインＧ（ｄＢ）が掛けられているので、モニタ表示装置１４０に表示される映像の輝度が増すだけでカラーバランスの変化はない。すなわち、撮影照明光の相対スペクトルと、補正後のレンダリング照明の相対スペクトルとが略一致している状態が維持される。そして、補正後のレンダリング照明に対して観察照明光の分光スペクトルが略一致するように照明補正量算出部１１２Ａは照明補正量ΔＩ1、ΔＩ2、…、ΔＩ6を求め、照明データメモリ１３２に出力する。以下では撮影照明光の分光スペクトルＩ（λ）に対して掛けるゲインＧ（ｄＢ）をレンダリングゲインと称し、レンダリングゲインＧと撮影照明光の分光スペクトルＩ（λ）とを乗じたもの（Ｇ×Ｉ（λ））を補正後のレンダリング照明情報と称する。
【００４９】
図７は、照明補正量算出部１１２Ａで実行される照明補正情報及びレンダリングゲイン算出処理の手順を概略的に示すフローチャートである。図７に示される処理は、モニタ装置１４０に表示される映像が動画である場合には、例えば１／３０秒、１／６０秒といった比較的短い周期で呼び出されて実行されるものとすることができる。あるいは、もっと長い周期で呼び出されて実行されるものとすることもできる。また、表示される映像のシーンの変わり目や、撮影照明情報が変化したことを検出したのに伴って呼び出され、実行されるものであってもよい。一方、モニタ装置１４０に表示される映像が静止画像である場合には、表示画像が切り替えられたことを検出したのに伴って呼び出され、実行されるものであってもよい。
【００５０】
照明補正量算出部１１２Ａは、Ｓ７０１において分光測光部１３８Ａ、１３８Ｂ、１３８Ｃから観察照明スペクトル情報を入力し、続くＳ７０２において撮影特性情報分離部１１０から撮影照明情報を入力する。Ｓ７０３において照明補正量算出部１１２Ａは、上述した撮影照明情報（図６の細い実線で示される曲線に対応）と、観察照明スペクトル情報（図６の破線で示される曲線に対応）と、現状で設定されているレンダリングゲインとから、スペクトルごとの差分を算出する。
【００５１】
続くＳ７０４で照明補正量算出部１１２Ａは、Ｓ７０３で算出された差分をもとに、観察照明光の分光スペクトルが波長λ1〜λ6のうち、どこか一つの波長だけでも増加している部分があるかどうかを判定する。そして増加している部分があると判定されるとＳ７０５に分岐し、レンダリングゲインの修正が必要かどうかを判定する。図６に示す例で説明すると、以下のとおりとなる。
（１）  λ2の波長における観察照明光の分光スペクトルは変化がなく、λ2以外の波長における観察照明光の分光スペクトルが若干増加していても、それらが一つ前の段階における補正後のレンダリング照明情報Ｇ×Ｉ（λ）を越す程でなければ、レンダリングゲインの修正は不要と判定される。
（２）  λ2以外の波長で観察照明光の分光スペクトル成分が一つ前の段階における補正後のレンダリング照明情報Ｇ×Ｉ（λ）を下回る範囲で増加していても、波長λ2付近でのピークが下がっていれば、レンダリングゲインの修正は必要（この場合はレンダリングゲインを減らす必要がある）と判定される。
（３）  λ2の波長における観察照明光の分光スペクトルが増加（図６の波長λ2付近におけるピーク値が増加）していた場合、他の波長で観察照明光のスペクトルが減少していても、レンダリングゲインの修正は必要（この場合はレンダリングゲインを増す必要がある）と判定される。
【００５２】
Ｓ７０５でレンダリングゲインの修正は不要と判定された場合の分岐先であるＳ７０６において照明補正量算出部１１２Ａは、Ｓ７０３で算出したスペクトルごとの差分と、一つ前に実行された図７の処理に際して照明データメモリ１３２に記録された照明補正情報とから新たな照明補正情報を算出する。そして照明補正量算出部１１２ＡはＳ７０７において、照明データメモリ１３２内に記録される照明補正情報を新たな値に更新する。続くＳ７０８で照明補正量算出部１１２Ａは、照明制御部１３０に対して照明特性更新指令を出力し、図７の処理を終える。
【００５３】
Ｓ７０５での判定でレンダリングゲインの修正が必要と判定された場合の分岐先であるＳ７０９において照明補正量算出部１１２Ａはレンダリングゲインを修正し、続くＳ７１０では、Ｓ７０３で算出したスペクトルごとの差分と、一つ前に実行された図７の処理に際して照明データメモリ１３２に記録された照明補正情報、そしてＳ７０９で求めたレンダリングゲインとから、新特性可変照明装置の制御データの補正量を算出する。
【００５４】
Ｓ７０９及びＳ７１０での処理の結果に基づき、照明補正量算出部１１２ＡはＳ７１１において、レンダリングゲインの修正及び照明補正情報の修正が可能であるかどうかを判定し、その判定が肯定されたらＳ７０７に分岐する。一方、Ｓ７１１での判定が否定された場合、例えば、モニタ装置１４０に表示される映像の輝度をこれ以上増すことができず、したがってレンダリングゲインをこれ以上増すことができないと判定された場合にはＳ７１２に分岐して警告を発し、処理を終える。
【００５５】
Ｓ７０３で算出された照明補正情報をもとに、観察照明光の分光スペクトルが波長λ1〜λ6で減少しているとＳ７０４で判定されたときの分岐先であるＳ７１３において照明補正量算出部１１２Ａはレンダリングゲインの修正が必要かどうかを判定する。
【００５６】
図６に示す例で説明すると、以下のとおりとなる。
（１）  λ2の波長における観察照明光の分光スペクトルに変化がない場合は、λ2以外の波長における観察照明光の分光スペクトルが減少していても、レンダリングゲインの修正は不要と判定される。
（２）  λ2の波長を含めて、すべての波長における観察照明光の分光スペクトル成分が減少していたら、レンダリングゲインの修正は必要（この場合はレンダリングゲインを減らす必要がある）と判定される。
【００５７】
レンダリングゲインの修正が必要とＳ７１３で判定された場合の分岐先であるＳ７１４において、照明補正量算出部１１２Ａはレンダリングゲインを修正する。具体的には、波長λ1からλ6までの中で観察照明光の分光スペクトルが補正後のレンダリング照明情報Ｇ×Ｉ（λ）を越すことのないように、かつレンダリングゲインが最も小さくなるようにレンダリングゲインが修正される。一方、Ｓ７１３での判定がレンダリングゲインの修正は不要、すなわちλ2の波長おける観察照明光の分光スペクトルは変化がなかった場合、処理はＳ７１５に分岐する。
【００５８】
Ｓ７１５において照明補正量算出部１１２Ａは、Ｓ７０３で算出したスペクトルごとの差分と、一つ前に実行された図７の処理に際して照明データメモリ１３２に記録された照明補正情報、そしてＳ７１４でレンダリングゲインが修正された場合にはそれも加味して、特性可変照明装置の制御データの補正量を算出し、Ｓ７０７以降の処理を行う。
【００５９】
以上、図６及び図７を参照して説明した照明補正量算出部１１２Ａの処理によって、観察照明光の分光スペクトルが波長λ1からλ6の中の一部でも撮影照明光の分光スペクトルを上回っていた場合、撮影照明光の分光スペクトルＩ（λ）に所定のレンダリングゲインＧが掛けられて補正後のレンダリング照明情報Ｇ×Ｉ（λ）が求められ、レンダリング照明情報として色変換データ演算部１１４Ａに出力される。このレンダリング照明情報に基づいて演算パラメータ１が色変換データ演算部１１４Ａで算出される。色変換処理部１１８は、撮影特性情報分離部１１０から入力するＭバンド画像データに対して、色変換データ演算部１１４Ａから入力した演算パラメータ１に基づいて色変換の処理をして例えばＸ、Ｙ、Ｚ表色系の３バンド映像信号、すなわち測色値映像信号を生成する。この測色値映像信号生成の処理に際してレンダリング照明情報が加味されるので、上述のようにレンダリングゲインが増された場合にはモニタ装置１４０に表示される映像の輝度が増す。したがって、観察照明光が多少明るい、あるいはカラーバランスに偏りを生じているような状況でも映像表示システム１００Ａは臨場感のある映像の表示及び観察照明光の制御を行うことが可能となる。加えて、図７に示す処理によって、モニタ装置１４０に表示される映像を観察している途中で環境照明光が変化した場合にも、その変化に対応して観察照明光の制御をすることが可能となる。例えば、夕方になって窓１５０から入射する光が赤みを増したような場合、あるいは環境照明装置１５２が消灯されたり点灯されたりした場合であっても観察照明光の制御をすることができるので、臨場感のより高い映像の表示を行うことが可能となる。
【００６０】
図６及び図７を参照しての例においては、環境照明光の分光スペクトルが撮影照明光の分光スペクトルに比して大きい部分がある場合に、表示される映像のカラーバランスを変化させることなくレンダリング照明光の分光強度を増す例について説明した。しかし、レンダリング照明光の分光強度を増す際に、表示される映像のカラーバランスをオリジナルの映像と異なるものとすることもできる。例えば、映像を観察する観察者が、以下に説明するように各自の好みに応じてカラーバランスを設定することも可能である。
【００６１】
この例について図５、図８及び図９を参照して説明する。図５において、設定入力部１１９を操作することにより、観察者はレンダリング照明のカラーバランス（スペクトルの相対値）を自由に設定することが可能に構成されている。例えば、タングステン光の照明光下で撮影された被写体の映像を、太陽光や蛍光灯の下で撮影されたかのようなカラーバランスに設定することが可能に構成されている。観察者によって設定されたスペクトルの相対値に関連する情報（以下、この情報を「照明設定情報」と称する）は、照明補正量算出部１１２Ａに入力される。そして図８に示されるように、観察照明光の分光スペクトルが撮影照明光の分光スペクトルを上回っている部分がある場合、先に図６及び図７を参照して説明した、レンダリングゲインＧを適用する方法に代えて、設定入力部１１９で設定（入力）された照明設定情報に基づいて補正後のレンダリング照明情報ｉ（λ）を設定する。
【００６２】
図９は、照明補正量算出部１１２Ａで実行される照明補正情報及びレンダリング照明情報算出処理の手順の別例を概略的に示すフローチャートである。図９に示される処理も、図７に示される処理と同様に、モニタ装置１４０に表示される映像が動画である場合には、例えば１／３０秒、１／６０秒といった比較的短い周期で呼び出されて実行されるものとすることができる。あるいは、もっと長い周期で呼び出されて実行されるものとすることもできる。また、表示される映像のシーンの変わり目や、撮影照明情報が変化したことを検出したのに伴って呼び出され、実行されるものであってもよい。一方、モニタ装置１４０に表示される映像が静止画像である場合には、表示画像が切り替えられたことを検出したのに伴って呼び出され、実行されるものであってもよい。
【００６３】
照明補正量算出部１１２Ａは、Ｓ９０１において分光測光部１３８Ａ、１３８Ｂ、１３８Ｃから観察照明スペクトル情報を入力し、続くＳ９０２において撮影特性情報分離部１１０から撮影照明情報を入力する。Ｓ９０３において照明補正量算出部１１２Ａは、撮影照明情報（図８の細い実線で示される曲線に対応）と、観察照明スペクトル情報（図８の破線で示される曲線に対応）と、現状で設定されているレンダリング補正情報とから、スペクトルごとの差分を算出する。
【００６４】
続くＳ９０４で照明補正量算出部１１２Ａは、Ｓ９０３で算出された差分をもとに、観察照明光の分光スペクトルが波長λ1〜λ6のうち、どこか一つの波長だけでも増加している部分があるかどうかを判定する。そして増加している部分があると判定されるとＳ９０５に分岐し、レンダリング補正情報の修正が必要かどうかを判定する。図８に示す例で説明すると、以下のとおりとなる。
（１）  λ2の波長における観察照明光の分光スペクトルは変化がなく、λ2以外の波長における観察照明光の分光スペクトルが若干増加していても、それらが一つ前の段階における補正後のレンダリング照明情報ｉ（λ）を越す程でなければ、レンダリング補正情報の修正は不要と判定される。
（２）  λ2以外の波長で観察照明光の分光スペクトル成分が一つ前の段階における補正後のレンダリング照明情報ｉ（λ）を下回る範囲で増加していても、波長λ2付近でのピークが下がっていれば、レンダリング補正情報の修正は必要（この場合、レンダリング補正情報を修正して、補正後のレンダリング照明情報ｉ（λ）が下がるようにする必要がある。）と判定される。
（３）  λ2の波長における観察照明光の分光スペクトルが増加（図８の波長λ2付近におけるピーク値が増加）していた場合、他の波長で観察照明光のスペクトルが減少していても、レンダリング補正情報の修正は必要（この場合、レンダリング補正情報を修正して、補正後のレンダリング照明情報ｉ（λ）が上がるようにする必要がある。）と判定される。
【００６５】
Ｓ９０５でレンダリング補正情報の修正は不要と判定された場合の分岐先であるＳ９０６において照明補正量算出部１１２Ａは、Ｓ９０３で算出したスペクトルごとの差分と、一つ前に実行された図９の処理に際して照明データメモリ１３２に記録された照明補正情報とから新たな照明補正情報を算出する。そして照明補正量算出部１１２ＡはＳ９０７において、照明データメモリ１３２内に記録される照明補正情報を新たな値に更新する。続くＳ９０８で照明補正量算出部１１２Ａは照明制御部１３０に対して照明特性更新指令を出力し、図９の処理を終える。
【００６６】
Ｓ９０５での判定がレンダリング補正情報の修正が必要と判定された場合の分岐先であるＳ９０９において、照明補正量算出部１１２Ａはレンダリング補正情報を修正し、続くＳ９１０では、Ｓ９０３で算出したスペクトルごとの差分と、一つ前に実行された図９の処理に際して照明データメモリ１３２に記録された照明補正情報、そしてＳ９０９で求めたレンダリング補正情報とから、新たな照明補正情報を算出する。ここでＳ９０９において行われるレンダリング補正情報の修正について説明すると、観察者によって設定された、レンダリング照明のスペクトルの相対値を維持する（カラーバランスを維持する）ように照明補正情報が決定される。したがって、観察照明光の分光スペクトルの大小に応じて、レンダリング照明光は相対分光強度分布を維持した状態で増減する。
【００６７】
Ｓ９０９及びＳ９１０での処理の結果に基づき、照明補正量算出部１１２ＡはＳ９１１において、レンダリング補正情報の修正及び照明補正情報の修正が可能であるかどうかを判定し、その判定が肯定されたらＳ９０７に分岐する。一方、Ｓ９１１での判定が否定された場合、例えば、モニタ装置１４０に表示される映像の輝度をこれ以上増すことができず、したがってレンダリング補正情報をこれ以上変更することができないと判定された場合にはＳ９１２に分岐して警告を発し、処理を終える。
【００６８】
Ｓ９０３で算出された照明補正情報をもとに、観察照明光の分光スペクトルが波長λ1〜λ6で減少しているとＳ９０４で判定されたときの分岐先であるＳ９１３において照明補正量算出部１１２Ａはレンダリング補正情報の変更が必要かどうかを判定する。図８に示す例で説明すると、以下のとおりとなる。
（１）  λ2の波長おける観察照明光の分光スペクトルに変化がない場合は、λ2以外の波長における観察照明光の分光スペクトルが減少していても、レンダリング補正情報の修正は不要と判定される。
（２）  λ2の波長を含めて、すべての波長における観察照明光の分光スペクトル成分が減少していたら、レンダリング補正情報の修正は必要（この場合、レンダリング補正情報を修正して、補正後のレンダリング照明情報ｉ（λ）を下げるようにする必要がある。）と判定される。
【００６９】
レンダリング補正情報の修正が必要とＳ９１３で判定された場合の分岐先であるＳ９１４において、照明補正量算出部１１２Ａはレンダリング補正情報を修正する。具体的には、波長λ1からλ6までの中で観察照明光の分光スペクトルが補正後のレンダリング照明情報ｉ（λ）を越すことのないように、かつレンダリング補正量が最も小さくなるようにレンダリング補正情報が修正される。Ｓ９１４でのレンダリング補正情報に際して、観察照明光の分光スペクトルが全波長帯域で撮影照明光の分光スペクトルＩ（λ）を下回った場合、補正後のレンダリング照明情報ｉ（λ）を撮影照明光の分光スペクトルＩ（λ）と等しくなるように設定することができる。Ｓ９１３での判定がレンダリング補正情報の修正は不要、すなわちλ2の波長おける観察照明光の分光スペクトルは変化がなかった場合、処理はＳ９１５に分岐する。
【００７０】
Ｓ９１５において照明補正量算出部１１２Ａは、Ｓ９０３で算出したスペクトルごとの差分と、一つ前に実行された図９の処理に際して照明データメモリ１３２に記録された照明補正情報、そしてＳ９１４でレンダリング補正情報が修正された場合にはそれも加味して、新たな照明補正情報を算出し、Ｓ９０７以降の処理を行う。
【００７１】
以上、図８及び図９を参照して説明した照明補正量算出部１１２Ａの処理によって、観察照明光の分光スペクトルが波長λ1からλ6の中の一部でも撮影照明光の分光スペクトルを上回っていた場合、観察者によって設定されたレンダリング照明のスペクトルの相対値を維持するようにレンダリング補正値が決定され、レンダリング照明情報として色変換データ演算部１１４Ａに出力される。このレンダリング照明情報に基づいて演算パラメータ１が色変換データ演算部１１４Ａで算出される。色変換処理部１１８は、撮影特性情報分離部１１０から入力するＭバンド画像データに対して、色変換データ演算部１１４Ａから入力した演算パラメータ１に基づいて色変換の処理をして例えばＸ、Ｙ、Ｚ表色系の３バンド映像信号、すなわち測色値映像信号を生成する。この測色値映像信号生成の処理に際してレンダリング照明情報が加味されるので、モニタ装置１４０に表示される映像は、観察者によって設定されたレンダリング照明光が適用される。したがって、観察照明光が多少明るい、あるいはカラーバランスに偏りを生じているような状況で、映像表示システム１００Ａは観察者の好みに応じたレンダリング照明を適用した映像の表示及び観察照明光の制御を行うことが可能となる。加えて、図９に示す処理によって、モニタ装置１４０に表示される映像を観察している途中で環境照明光が変化した場合にも、その変化に対応して観察照明光の制御をすることが可能となる。
【００７２】
セットトップボックス（ＳＴＢ）１０２、１０２Ａは、本発明の第１及び第２の実施の形態で説明したようにモニタ装置１４０から独立した機器として構成することができるが、モニタ装置１４０の内部に組み込まれるものであってもよい。あるいは、ビデオレコーダ等、モニタ装置１４０に接続される他の機器に組み込まれるものであってもよい。モニタ装置１４０としては、液晶、ＰＤＰ、有機ＥＬ等を表示素子として用いたフラットディスプレイ、フィールドエミッションディスプレイの他、リアプロジェクションタイプのディスプレイ、プロジェクタ等、様々なものが利用できる。
【産業上の利用可能性】
【００７３】
本発明に係る映像表示の技術は、テレビジョン受像器、ビデオモニタ、コンピュータ用のモニタ、そしてデータ・プロジェクタなどの画像投影装置等を用いる映像表示システムに利用することが可能である。
【図面の簡単な説明】
【００７４】
【図１】本発明の第１の実施の形態に係る映像表示システムの概略的構成を説明するブロック図である。
【図２】色変換処理部及びモニタ色変換処理部の内部構成例を説明するブロック図である。
【図３】照明補正量算出部で照明補正情報を求める際の方法を概念的に示す図である。
【図４】照明補正量算出部で実行される照明補正情報算出の手順の一例を説明するフローチャートである。
【図５】本発明の第２の実施の形態に係る映像表示システムの概略的構成を説明するブロック図である。
【図６】本発明の第２の実施の形態に係る映像表示システム中に含まれる照明補正量算出部で照明補正情報を求める際の方法を概念的に示す図である。
【図７】本発明の第２の実施の形態に係る映像表示システム中に含まれる照明補正量算出部で実行される照明補正情報算出の手順の一例を説明するフローチャートである。
【図８】本発明の第２の実施の形態に係る映像表示システム中に含まれる照明補正量算出部で照明補正情報を求める際の方法の別例を概念的に示す図である。
【図９】本発明の第２の実施の形態に係る映像表示システム中に含まれる照明補正量算出部で実行される照明補正情報算出の手順の別例を説明するフローチャートである。
【符号の説明】
【００７５】
１００、１００Ａ  …  映像表示システム
１０２  …    セットトップボックス（ＳＴＢ）
１１０  …  撮影特性情報分離部
１１２  …  照明補正量算出部
１１４  …  色変換データ演算部
１１６  …  モニタ色変換データ演算部
１１８  …  色変換処理部
１２０  …  モニタ色変換部
１３０  …  照明制御部
１３２  …  照明データメモリ
１３４  …  照明駆動部
１３６、１３６Ａ、１３６Ｂ  …  特性可変照明装置
１３８、１３８Ａ、１３８Ｂ、１３８Ｃ  …  分光測光部
１４０  …  モニタ装置
１４５  …  スピーカ
１５０  …  窓
１５２  …  環境照明装置
【図１】
2009017354.tif 000004
【図２】
2009017354.tif 000005
【図３】
2009017354.tif 000006
【図４】
2009017354.tif 000007
【図５】
2009017354.tif 000008
【図６】
2009017354.tif 000009
【図７】
2009017354.tif 000010
【図８】
2009017354.tif 000011
【図９】
2009017354.tif 000012